(57)【要約】【課題】  ランダムアクセス可能な記録媒体の再生において、正方向早送り、逆方向早送りの作業を繰り返すことなく、素早く目的のシーンを探し出す。【解決手段】  第１の記憶手段に格納された正方向データｆ１は、正方向のＩピクチャデータを第１の記憶手段より、ＴＶのフレーム同期ごとに、１枚おきに読み出される。現在表示モードのＧＯＰアドレス位置から一定時間前の逆方向データｒ１を取得する。読み出した逆方向データｒ１は、逆方向のＩピクチャデータのみを第２の記憶手段から読み出す。ＴＶのフレーム同期ごとに、１枚おきに読み出す。正方向のＩピクチャデータＩｆ及び逆方向のＩピクチャデータＩｒは、信号ビデオ信号処理部８へ出力され、正逆方向Ｉピクチャ用の２つの子画面と、親画面とが合成されて、表示手段によって、同時に表示される。【選択図】  図２
2006121399.tif 000002
【特許請求の範囲】
【請求項１】
記録媒体に記録されているデータを所定の再生速度で読み出す再生手段を有する再生装置であって、
早送り指示を入力する指示入力手段と、
前記再生速度より速い速度で正方向にデータを読み出す正方向早送り読み出し制御手段と、
前記再生速度より速い速度で逆方向にデータを読み出す逆方向早送り読み出し制御手段と、
前記早送り指示が入力されたとき、前記正方向早送り読み出し制御手段により読み出されたデータと前記逆方向早送り読み出し制御手段から読み出されたデータとを一画面用データに合成処理する信号処理手段と、
を備えたことを特徴とする再生装置。
【請求項２】
前記正方向早送り読み出し制御手段は、前記再生手段により読み出された正方向データを所定の期間のデータ量分、書き込みする第１の記憶手段と、
前記逆方向早送り読み出し制御手段は、前記再生手段により読み出された逆方向データを前記所定の期間のデータ量分、書き込みする第２の記憶手段と、を備え、
前記正方向早送り読み出し制御手段及び前記逆方向早送り読み出し制御手段は、前記第１の記憶手段から前記正方向データを、前記第２の記憶手段から前記逆方向データを略同時タイミングで所定の時間内に読み出すことを特徴とする請求項１に記載の再生装置。
【請求項３】
前記正方向早送り手段及び前記逆方向早送り手段により、前記第１及び第２の記憶手段を介して読み出されたデータの情報量を低減する情報量低減手段を備えたこと特徴とする請求項１または請求項２に記載の再生装置。
【請求項４】
前記信号処理手段により前記合成処理された一画面用データを表示する表示手段を備えたことを特徴とする請求項１から請求項３のいずれか１項に記載の再生装置。
【請求項５】
記録媒体に記録されているデータを所定の再生速度で読み出す再生ステップと、
早送り指示を入力する指示入力ステップと、
前記再生速度より速い速度で正方向にデータを読み出す正方向早送り読み出し制御ステップと、
前記再生速度より速い速度で逆方向にデータを読み出す逆方向早送り読み出し制御ステップと、
前記指示入力ステップにより、前記早送り指示が入力されたとき、前記正方向早送り読み出し制御ステップと前記逆方向早送り読み出し制御ステップによって読み出されるデータを一画面に合成処理する信号処理ステップと、
を備えたことを特徴とする再生方法。
【請求項６】
前記正方向早送り読み出し制御ステップは、前記再生ステップにより読み出した正方向データを記憶再生する第１の記憶再生ステップと、
前記逆方向早送り読み出し制御ステップは、前記再生手段により読み出した逆方向データを記憶再生する第２の記憶再生ステップを備え、
前記第１の記憶再生ステップにより前記正方向データを記憶し、前記第２の記憶再生ステップにより前記逆方向データを記憶完了した後に、前記第１の記憶再生ステップは、前記正方向データを、前記第２の記憶再生ステップは、前記逆方向データを所定のタイミングで所定の時間内に読み出すことを特徴とする請求項５に記載の再生方法。
【請求項７】
前記正方向早送り制御ステップと前記逆方向早送り制御ステップにより読み出されたデータの情報量を低減する情報量低減ステップを備えたこと特徴とする請求項５または請求項６に記載の再生方法。
【発明の詳細な説明】
【技術分野】
【０００１】
本発明は、記録媒体に記録されたデータを再生する場合、記録媒体に記録された所望のデータを素早く検索して表示又は外部出力する再生装置及び再生方法に関する。
【背景技術】
【０００２】
従来技術では、記録媒体に記録された情報を再生する再生装置（主に、ＶＴＲ、ＤＶＤ、ＨＤＤ）において、記録媒体に記録されている目的とする画面（シーン）を高速に検索するため、だいたいの目安をつけて早送り又は逆送りを行い、通常の送り速度で再生する。この再生方法として、この早送り又は逆送り動作を何回か繰り返し、目的のシーンに到達する方法、又は再生映像（音声）をモニタしながら、正（順）方向サーチ又は逆方向サーチを実行して目的のシーンを探し出す方法がある。
【０００３】
また、映像情報がＭＰＥＧ（Ｍｏｖｉｎｇ  Ｐｉｃｔｕｒｅ  Ｅｘｐｅｒｔｓ  Ｇｒｏｕｐ）規格により記録媒体に画像圧縮されて記録されている場合、正方向サーチ時には、正方向のＩピクチャ（フレーム内符号化画像）のみを検出し、逆方向サーチ時には、逆方向のＩピクチャのみを検出して高速検索する技術が知られている。
【０００４】
さらに、記録媒体に記録されている正方向サーチ映像又は逆方向サーチ映像をモニタする方法として、記録媒体とは別のチューナ受信映像などの入力信号からの映像を表示する親画面と、サーチ映像を表示した子画面（サムネイル）とを合成して表示する技術が、例えば、特許文献１に開示されている。具体的には、チューナ受信映像とする親画面内に、ＶＴＲ等に記録された映像信号を２倍速などの高速でサーチ再生した映像を表示した子画面（サムネイル）を重畳させる。
【０００５】
この場合、サーチ再生映像信号は、デジタル信号に変換され、間引かれてメモリに書き込まれた後、読み出される。この読み出されたサーチ再生映像データは、親画面用映像信号（チューナ受信映像信号）に含まれる同期信号に基づいて表示される。これにより、子画面にスキュー（磁気ヘッドがトラックを斜めに横切る際に生じる映像の歪み）の発生が防止される。
【０００６】
なお、記録媒体に記録されている情報が、短編のシーン（ストーリ）が複数集合している情報であれば、夫々のシーンのタイトルで検索が可能であるので、検索は簡単に行える。
【特許文献１】特開平０４−１７２８８３号公報
【発明の開示】
【発明が解決しようとする課題】
【０００７】
しかしながら、記録媒体に長編のシーン（映画、スポーツなど）からなる情報が記録されている場合、シーン（ストーリ）を細分化し区切りにチャプタを付けてあるものの、目的のシーン（目的とするシーンの一場面）がチャプタ内であると、やはり上述した試行錯誤による検索が必要となる。
【０００８】
また、早送り又は逆送りする際に、モニタを行わないで早送り又は逆送りすると、高速動作が可能となるが、表示手段（画面）に映像が表示されないため、目的のシーンかどうかを知るには、再生動作を実行し、表示画面の映像により確認し、目的のシーンが現在より正方向又は逆方向を判断して再度早送り又は逆送りをしなければならず、所望のシーンに得るのに時間を浪費するという問題がある。
【０００９】
また、上述した正方向サーチ又は逆方向サーチによるサーチ方法では、どちらか一方しか選択できず、このため目的とするシーンが現在より正方向にあるのか又は逆方向にあるのか不明確な場合は、確率１／２となり、間違った選択（サーチ）を実行すると再度反対方向にサーチをしなければならずサーチに要する時間が２倍となり、検索時間の浪費になるといった問題がある。
【００１０】
そこで、本発明は、上記従来の問題点に鑑みてなされたものであって、正方向早送り、逆方向早送りの作業を試行錯誤で繰り返すことなく、素早く目的のシーンを探し出すことができる再生装置及び再生方法を提供することを目的としている。
【課題を解決するための手段】
【００１１】
上述の課題を解決するために、本発明に係る再生装置は、以下の特徴を備えている。
【００１２】
本発明に係る再生装置は、記録媒体に記録されているデータを所定の再生速度で読み出す再生手段を有する再生装置であって、早送り指示を入力する指示入力手段と、前記再生速度より速い速度で正方向にデータを読み出す正方向早送り読み出し制御手段と、前記再生速度より速い速度で逆方向にデータを読み出す逆方向早送り読み出し制御手段と、前記早送り指示が入力されたとき、前記正方向早送り読み出し制御手段により読み出されたデータと前記逆方向早送り読み出し制御手段から読み出されたデータとを一画面用データに合成処理する信号処理手段と、を備えたことを特徴とする。
【００１３】
本発明に係る再生装置は、前記正方向早送り読み出し制御手段は、前記再生手段により読み出された正方向データを所定の期間のデータ量分、書き込みする第１の記憶手段と、前記逆方向早送り読み出し制御手段は、前記再生手段により読み出された逆方向データを前記所定の期間のデータ量分、書き込みする第２の記憶手段と、を備え、前記正方向早送り読み出し制御手段及び前記逆方向早送り読み出し制御手段は、前記第１の記憶手段から前記正方向データを、前記第２の記憶手段から前記逆方向データを略同時タイミングで所定の時間内に読み出すことを特徴とする。
【００１４】
本発明に係る再生装置は、前記信号処理手段により前記合成処理された一画面用データを表示する表示手段を備えたことを特徴とする。
【００１５】
本発明に係る再生装置は、前記正方向早送り手段及び前記逆方向早送り手段により、前記第１及び第２の記憶手段を介して読み出されたデータの情報量を低減する情報量低減手段を備えたこと特徴とする。
【００１６】
本発明に係る再生方法は、記録媒体に記録されているデータを所定の再生速度で読み出す再生ステップと、早送り指示を入力する指示入力ステップと、前記再生速度より速い速度で正方向にデータを読み出す正方向早送り読み出し制御ステップと、前記再生速度より速い速度で逆方向にデータを読み出す逆方向早送り読み出し制御ステップと、前記指示入力ステップにより、前記早送り指示が入力されたとき、前記正方向早送り読み出し制御ステップと前記逆方向早送り読み出し制御ステップによって読み出されるデータを一画面に合成処理する信号処理ステップと、を備えたことを特徴とすることを特徴とする。
【００１７】
本発明に係る再生方法は、前記正方向早送り読み出し制御ステップは、前記再生ステップにより読み出した正方向データを記憶再生する第１の記憶再生ステップと、前記逆方向早送り読み出し制御ステップは、前記再生手段により読み出した逆方向データを記憶再生する第２の記憶再生ステップを備え、前記第１の記憶再生ステップにより前記正方向データを記憶し、前記第２の記憶再生ステップにより前記逆方向データを記憶完了した後に、前記第１の記憶再生ステップは、前記正方向データを、前記第２の記憶再生ステップは、前記逆方向データを所定のタイミングで所定の時間内に読み出すことを特徴とする。
【００１８】
本発明に係る再生方法は、前記正方向早送り制御ステップと前記逆方向早送り制御ステップにより読み出されたデータの情報量を低減する情報量低減ステップを備えたこと特徴とする。
【発明の効果】
【００１９】
上述したように、本発明の再生装置及び再生方法によれば、記録媒体に記録されている目的のシーン（一場面）を検索する場合、再生、正方向早送り、逆方向早送りを繰り返すことなく、正方向と逆方向の早送り映像が同時にモニタできるので、短時間で素早く目的のシーンを探し出すことができる。
【発明を実施するための最良の形態】
【００２０】
以下、図面を参照して、本発明に係る再生装置の実施形態について詳細に説明する。
【００２１】
図１は、本実施形態の再生装置のブロック図である。
【００２２】
再生装置１は、記録媒体２、スピンドルモータ３、光ピックアップ４、駆動制御部５、ＲＦ／サーボ／デコーダ６、ＭＰＥＧデコーダ７、信号処理部８、ＮＴＳＣ／ＰＡＬエンコーダ９、デジタルＩ／Ｆ（デジタル・インタフェース）１０、表示手段１１、所定の記憶手段１２、第１の記憶手段１３、第２の記憶手段１４、情報量低減手段１５、制御手段（以下、ＣＰＵという）１６、操作部１７から構成される。また、操作部１７は、指示入力手段１８を含んでいる。
【００２３】
再生装置１は、ＣＤ、ＤＶＤ、ＨＤＤ、大容量半導体メモリなどのランダムアクセス可能な記録媒体に記録されたデータを再生する再生装置である。
【００２４】
但し、本実施形態は、映像及び音声情報が記録されているＣＤ、ＤＶＤ等の記録媒体を再生する場合を例として説明するが、他のランダムアクセス可能な記録媒体についても適用することができることはもちろんである。
【００２５】
また、記録媒体２に記録されているＭＰＥＧ規格により符号化（ＭＰＥＧ１、ＭＰＥＧ２、ＭＰＥＧ４）された映像及び音声情報を再生する場合を例として説明するが、ＭＰＥＧに限定するものではない。記録媒体２にＭＰＥＧ規格で記録されている映像（ビデオ）のデータフォーマットは、よく知られているように、少なくとも１つのＩピクチャ（１フレーム単独で圧縮したピクチャ）と、複数のＰピクチャ（Ｉピクチャから順方向予測されたピクチャ）と、Ｂピクチャ（ＩピクチャとＰピクチャから双方向予測されたピクチャ）が所定のパターンの並びで配列されたデータ形式となっている。
【００２６】
なお、これらのＩ、Ｐ、Ｂピクチャをそれぞれ１５枚（０．５秒当り）集めたものを１グループ（ＧＯＰ（Ｇｒｏｕｐ  ｏｆ  Ｐｉｃｔｕｒｅｓ））としているので、１ＧＯＰ内には、１秒当り少なくとも３０枚のＩピクチャが所定間隔で配列されることになる（３０枚／秒＝２ＧＯＰ／秒）。また、ＧＯＰの先頭にはシーケンスデータ（アドレスデータ）が付けられている。
【００２７】
以下に、記録媒体２に上記に示したようなフォーマットで記録されている映像データを再生する再生装置１の基本的な動作について説明する。
【００２８】
まず、駆動制御部５がスピンドルモータ３を回転させ、ＣＰＵ１６により光ピックアップ４により駆動制御部５を制御して所定の回転数となるようサーボ及びトラッキングをとる。そして、サーボ／ＲＦ／ＣＤデコーダ部６からＲＦ信号を検出し、目的のＧＯＰアドレスから映像・音声データを読み出す。
【００２９】
上記ＲＦ信号は、ＭＰＥＧデコーダ７に入力され各ピクチャが復号された後、ビデオ信号処理部８によって、映像信号には同期信号、画質補正が加えられ、音声信号にはデジタルフィルタにより音声の補正が加えられる。また、信号処理部８からのデジタル出力は、デジタルＩ／Ｆ（出力手段）１０を介して外部機器へ出力されるとともに、図示しないＤ／ＡコンバータとＮＴＳＣ／ＰＡＬエンコーダ（出力手段）９とを介し、外部機器へ出力される。また、ＮＴＳＣ／ＰＡＬエンコーダ９のアナログ出力は表示手段（画像ディスプレイ・音声用スピーカを含む）１１にも接続される。
【００３０】
次に、本実施形態に係る再生装置１に特有な正逆同時サーチモードについて説明する。
【００３１】
従来、記録媒体２に記録された情報（映像・音声）信号をサーチする場合、操作部１７の早送りボタンを押すと、正方向ビデオサーチ（ＶＳＦ）となり、逆送りボタンを押すと逆方向ビデオサーチ（ＶＳＲ）となる。つまり、ＶＳＦ又はＶＳＲの何れか一方のモードのみが選択できるものであった。なお、ＶＳＦやＶＳＲには２倍速、３倍速、・・・・、と任意の倍速を選択することが可能である。
【００３２】
しかし、再生装置１では、早送り又は逆送りボタンを操作することなく、操作部１７に設けられた指示入力手段１８から指示入力することにより、又は表示手段１１のパネルに表示されるタッチパネル式やライトペン式等の指示入力手段１８から、指示入力することにより、ＶＳＦとＶＳＲによる画像を同時にモニタし、サーチするものである。このサーチモードを正逆同時サーチモードと称する。
【００３３】
ここで、同時とは、親画面中に、正方向高速サーチ映像と逆方向高速サーチ映像がモニタされ、ユーザにとっては、正・逆高速サーチ映像を同時に見ることができるという意味である。
【００３４】
以下に、再生装置１の正逆同時サーチモードの動作について詳細に説明する。
【００３５】
再生装置１が、記録媒体２に記録されているデータを通常再生（ノーマル再生）している最中に、指示入力手段１７により正逆同時サーチモードに移行するイベント情報がＣＰＵ１６に伝達されると、ＣＰＵ１６は、移行時点の再生映像データを所定の記憶手段１２に格納し、以後、表示手段１１である画像モニタへは、この格納した映像データを読み出して出力する。つまり、表示手段１１のモニタ画面には、正逆同時サーチモードに移行時の基準画像を表示するために、正逆同時サーチモードに移行した時点の静止画の表示が開始される。以下、これを現在表示モードという。
【００３６】
再生装置１が、正逆同時サーチモードに移行すると、ＣＰＵ１６は、予め決められた速度でサーチ動作（指示入力手段の入力回数や入力選択により、２倍速から３倍速・・・というようにしてもよい）を行う。ｎ倍速サーチの方法は、種々存在するが、例えば、記録媒体２を通常のｎ倍の回転速度で回転させて信号を読み出す方法がある。
【００３７】
本実施形態では、倍速サーチを例にして説明する。通常再生時は、ＮＴＳＣの場合の映像信号のフレーム速度は、３０フレーム／秒（２ＧＯＰ／秒）であるから、ＴＶの１フレームのＩピクチャの枚数は、１枚（（１／１５）×ＧＯＰ）である。
【００３８】
一方、倍速サーチにおける読み出し速度は、４ＧＯＰ／秒となる。従って、倍速サーチでは、１秒間に、４つのＧＯＰのピクチャデータが読み出される。すなわち、ＴＶの１フレーム間では、２枚のＩピクチャデータが抽出、読み出されて、画像表示されることになる。しかし、例えば、正方向及び逆方向用サムネイル画面がそれぞれ１画面で構成されている場合には、ＴＶの１フレーム間では、それぞれ１枚のＩピクチャデータしか表示されないことから、上記それぞれ２枚のＩピクチャデータから１枚ごとに間引かれて表示する。
【００３９】
なお、正方向及び逆方向用サムネイル画面がそれぞれ２枚の画面で構成されている場合には、間引かれずにそのまま、表示することができる。
【００４０】
図２（ａ）は、正方向データｆ１と逆方向データｒ１及び正方向データｆ２及び逆方向データ２の２組のデータを高速に読み出したことを示す図である。
【００４１】
図２（ｂ）は、正方向に取得したＭＰＥＧデータである正方向データｆを示す図である。
【００４２】
図２（ｃ）は、逆方向に取得したＭＰＥＧデータである逆方向データｒを示す図である。
【００４３】
正方向データｆ１は、現在表示モードのデータ位置から一定時間経過した正方向の位置にあるＭＰＥＧデータ（現在表示モードのデータより時間的に後に録画されたデータ）であり、正方向データｆ２は、正方向データｆ１よりさらに一定時間経過した正方向の位置のＭＰＥＧデータ（正方向ｆ１より時間的に後に録画されたデータ）を意味する。以下、正方向データｆ２の次に、ｆ３、ｆ４・・・ｆｎ、ｆ（ｎ＋１）、ｆ（ｎ＋２）・・と続く。
【００４４】
また、逆方向データｒ１は、現在表示モードのデータ位置から一定時間前の逆方向の位置にあるＭＰＥＧデータ（現在表示モードのデータより時間的に前に（過去に）録画されたデータ）であり、逆方向データｒ２は、逆方向データｒ１よりさらに所定時間前の逆方向の位置にあるＭＰＥＧデータ（逆方向ｒ１より時間的に前に録画されたデータ）を意味する。以下、逆方向データｒ２の次に、ｒ３、ｒ４・・・ｒｎ、ｒ（ｎ＋１）、ｒ（ｎ＋２）・・と続く。
【００４５】
ここで、正方向データｆ及び逆方向データｒを、例えば、ｍ／３０秒（フレーム）間のデータを一度に読み出すとすれば、倍速モードにおけるＧＯＰの一方向の個数は、（２ｍ／１５）×ＧＯＰ個となる。Ｉピクチャとして正逆両方向で４×ｍ枚の画像データが読み込まれる。
【００４６】
先ず、正逆同時サーチモードに移行した時点で、ＣＰＵ１６は、（２ｍ／１５）個のＧＯＰを一度にこの正方向の時間順序で取得する。この時、光ピックアップ４がアクセスした現在表示モードの静止画像のＧＯＰの先頭に付けられたアドレスデータをワークメモリ（図示していない）に記憶する。これは、正方向のデータを読み出した後、後述する逆方向のデータの読み出し開始位置を基準アドレスであるアドレスデータとして記憶しておくためである。
【００４７】
上述したように、現在表示モードより正方向（逆方向から始めてもよい）に一定時間経過後（ｍ／３０秒）の正方向データｆ１を読み出した後、ＣＰＵ１６は、取得した正方向データｆ１の最後尾のＧＯＰアドレス（ＧＯＰ１、ＧＯＰ２、・・・ＧＯＰ（２ｍ／１５）の順序で取得する場合の最後尾のＧＯＰ（２ｍ／１５）のアドレス）を検出し、ワークメモリに記憶する。そして、読み出した正方向データｆ１は、第１の記憶手段１３に格納する。
【００４８】
なお、現在表示モードで最後尾のＧＯＰアドレスを記憶し、正逆同時サーチモードで先頭のＧＯＰアドレスを記憶するようにしてもよい。また、両モードにおいて、共に先頭アドレスを記憶してもよいし、共に最後尾アドレスを記憶してもよい。
【００４９】
さらに、第１の記憶手段１３に格納された正方向データｆ１は、高速サーチ時は映像高速処理が要求されるので、他のＢ、Ｐピクチャをジャンプしながら、正方向のＩピクチャデータを第１の記憶手段１３より、ＴＶのフレーム同期ごとに、１枚おきに読み出される（倍速サーチモード時）。読み出されたＩピクチャデータＩｆ１、Ｉｆ３・・・Ｉｆ（２ｍ−１）は、情報量低減手段１５に入力されて、水平方向及び垂直方向のデータを間引き処理などによりさらにデータ量が削減される。
【００５０】
具体的には、例えば、表示手段１１の画像解像度を６４０×４８０とすると、情報量低減手段により８０×６０の解像度にする。これにより、Ｉピクチャ１枚につき１／６４に情報量が低減される。
【００５１】
次に、ＣＰＵ１６は、正方向データｆ１を読み出した後、上述したワークメモリ（図示せず）に記憶している現在表示モードのＧＯＰのシーケンスデータ（アドレス）を、サーボ／ＲＦ／デコーダ６の出力より検出する。そして、現在表示モードのＧＯＰアドレス位置から一定時間前の逆方向データｒ１を取得する。ＣＰＵ１６は、取得した逆方向データｒ１の最後尾のＧＯＰアドレスを検出し、ワークメモリに記憶する。
【００５２】
読み出した逆方向データｒ１は、第２の記憶手段１４に格納する。正方向の倍速データのサーチ時と同様に、サーチ時は映像高速処理が要求されるので、他のＢ及びＰピクチャをジャンプし、逆方向のＩピクチャデータのみを第２の記憶手段１４から読み出す。ＴＶのフレーム同期ごとに、１枚おきに読み出す。読み出された逆方向ＩピクチャデータＩｒ１、Ｉｒ３、Ｉｒ５・・・Ｉｒ（２ｍ−１）は、情報量低減手段１５に入力されて、水平方向及び垂直方向の情報量が間引き処理などにより、さらに低減される。情報量が低減された正方向のＩピクチャデータＩｆ１、Ｉｆ３、・・・Ｉｆ（２ｍ−１）及び逆方向のＩピクチャデータＩｒ１、Ｉｒ３，・・・Ｉｒ（２ｍ−１）のＩピクチャ映像は、ＴＶのフレーム同期に従って、信号ビデオ信号処理部８へ出力される。そして、信号ビデオ信号処理部８によって、正逆方向Ｉピクチャ用の２つの子画面（サムネイル）と、親画面とが合成されて、表示手段１１によって、同時に表示される。
【００５３】
次に、ＣＰＵ１６は、上記表示手段１１によって、正逆方向データのＩピクチャを表示している間に、次のブロックデータである正方向データｆ２及び逆方向データｒ２の読み出し処理に戻る。
【００５４】
まず、正方向データｆ１を読み出した時に、記憶した最後尾のＧＯＰアドレスを検索し、そのＧＯＰアドレス位置から正方向データｆ１に続く正方向データｆ２を取得し、第１の記憶手段１３に格納する。そして、正方向データｆ２の最後尾のＧＯＰアドレスを記憶させた後、ＭＰＥＧデコーダ７に入力し、上述した正方向データｆ１のＩピクチャを取得したステップと同様にＩピクチャＩｆ（２ｍ＋１）・・・・Ｉｆ４ｍを第１の記憶手段１３より読み出し、情報量低減手段１５により情報量が低減される。
【００５５】
同様に、逆方向データｒ１を読み出した時に、記憶した最後尾のＧＯＰアドレスを検索し、そのＧＯＰアドレス位置から逆方向データｒ１に続く、逆方向のデータｒ２を取得し、第２の記憶手段１４に格納する。そして、ｒ２データの最後尾のＧＯＰアドレスを記憶させた後、ＭＰＥＧデコーダ７に入力し、上述したｒ１のステップと同様にＩピクチャを第２の記憶手段１４より読み出し、情報量低減手段１５によって情報量が削減される。
【００５６】
このように、情報量が削減された正方向のＩピクチャデータＩｆ（２ｍ＋１）、Ｉｆ（２ｍ＋３）、・・・・Ｉｆ４ｍ及び逆方向のＩピクチャデータＩｒ（２ｍ＋１）、Ｉｒ（２ｍ＋３）・・・・Ｉｒ４ｍは、信号ビデオ信号処理部８へ出力される。そして、信号ビデオ信号処理部８によって、子画面（サムネイル）上に表示された上記正方向ＩピクチャデータＩｆ（２ｍ＋１）・・・Ｉｆ４ｍ、逆方向ＩピクチャデータＩｒ（２ｍ＋１）・・・・Ｉｒ４ｍは、表示手段１１によって、同時に表示される。
【００５７】
以降、所望の映像が見つかるまで上述した正方向のデータｆ、逆方向のデータｒの取得及び表示手段１１により正方向及び逆方向Ｉピクチャを同時表示の処理を繰り返す。
【００５８】
図２（ｄ）は、正方向と逆方向の倍速サーチのＩピクチャをＴＶフレーム同期に合わせて時系列に示した図である。
【００５９】
図２（ｄ）に示す時刻Ｔ１、Ｔ２，Ｔ３，Ｔ４・・・・Ｔｍは、ＴＶの１フレーム期間を示している。
【００６０】
時刻Ｔ１〜Ｔ２間は、正逆同時サーチモードボタンが押下された後、現在表示モードのＩピクチャの静止画（Ｉ０）が親画面に出力又は表示されている期間である。なお、静止画Ｉ０は、時刻Ｔ２，Ｔ３，・・・・Ｔｍ・・・に亘って、表示され、所望の画像が検索されるまで表示し続ける（図中、下段部分に示す）。
【００６１】
次の時刻Ｔ２以降は、正逆同時サーチモードとなった期間であり、正逆方向の倍速データである正方向Ｉピクチャ及び逆方向Ｉピクチャは、Ｉｆ１、Ｉｆ３、Ｉｆ５・・・・Ｉｆ２ｍ・・・及びＩｒ１、Ｉｒ３、Ｉｒ５・・・・Ｉｒ２ｍ・・・のように、１画面おきに出力又は表示される。
【００６２】
なお、倍速サーチするときは、子画面（サムネイル）は、比較的自然な動画とするために、正逆データ表示のためにそれぞれ２画面用意し、すべてのＩピクチャを表示するようにしてもよい。
【００６３】
図３は、再生装置１の一例を示す概観図である。
【００６４】
２１は、表示部、２０は、再生装置本体、２３は、記録媒体の挿入／排出口、２４は、停止ボタン、２５は、逆送りボタン、２６は、再生ボタン、２７は、早送りボタン、２８は、正逆同時サーチモードボタンである。また、２２は、正逆同時サーチモードに移行した時点でホールドした静止画（現在表示モードの静止画）、２９は、正方向の倍速映像（動画）、３０は、正方向の倍速映像（動画）であることを示すシンボル、３１は、逆方向の倍速映像、３２は逆方向の倍速映像であることを示すシンボルである。
【００６５】
次に、図４のフローチャートを用いて、図３に示した再生装置１の動作を以下に説明する。
【００６６】
再生ボタン２６の押下により、記録媒体２に記録されたデータの再生を通常再生モード（ノーマルモード）で開始する。そして、この通常再生を行っている状態において（ステップＳ１）、指示入力手段１８による高速サーチモードへの変更の指示入力があるか否かを判断する（ステップＳ２）。指示入力手段であるサーチモードボタン２８が押されると（ステップＳ２；Ｙｅｓ）、一旦、現在表示モードに移行し、サーチモードボタン２８が押された時点の映像データを所定の記憶手段１２に格納する。格納された映像は、静止画２２として読み出される（ステップＳ３）。
【００６７】
仮にサーチモードボタン２８を１回押すと倍速サーチと規定すると、ＣＰＵ１６は、記録媒体２の回転を倍速制御するとともに光ピックアップを制御し、正方向倍速データｆが読み出される。読み出された正方向倍速データｆを第１の記憶手段１３に格納する。記録したデータは、上述したように、ＭＰＥＧデコーダで復号された正方向データである。格納終了後、第１の記憶手段１３から、倍速のサーチによるＩピクチャデータのみ抽出しながら読み出しを行う（ステップＳ５）。さらに、読み出しされた正方向Ｉピクチャデータは、情報量低減手段１５に入力され、情報量の低減が行われる（ステップＳ６）。
【００６８】
次に、上記の場合と同様に、ＣＰＵ１６は、記録媒体２の回転を倍速制御するとともに光ピックアップを制御し、逆方向倍速データｒが読み出される。読み出された逆方向倍速データｒを第２の記憶手段１４に格納する。上述したとおり、記録したデータは、ＭＰＥＧデコーダで復号された逆方向データである。格納終了後、第２の記憶手段１４から、定倍速のサーチによるＩピクチャのみ抽出しながら読み出しを行う（ステップＳ７）。さらに、読み出しされた逆方向Ｉピクチャデータは、情報量低減手段１５に入力され、情報量の低減が行われる（ステップＳ８）。
【００６９】
ビデオ信号処理部８は、正方向倍速データの読み出しと（ステップＳ４、Ｓ５、Ｓ６）、逆方向倍速データを読み出しと（ステップＳ４、Ｓ７、Ｓ８）を交互に行い、画像データをサムネイル２９、３１に表示させ、ステップＳ４で得られた現在表示モードの静止画２２を表示している親画面中に画面合成する（ステップＳ９）。
【００７０】
こうして、サムネイル２９には正方向ＩピクチャＩｆ１、Ｉｆ３、Ｉｆ５・・・・・がこの正方向時間順序で表示され、サムネイル３１には、逆方向ＩピクチャＩｒ１、Ｉｒ３、Ｉｒ５・・・・が逆方向時間順序で表示される。このサムネイル２９、３１は、ユーザにとっては、同時に再生されているように見える。
【００７１】
ここで、どちらかのサムネイル画面に目的のシーンが出現したら、ユーザによる停止ボタン２４の押下又はタッチ式・ライトペンなどによるシンボル３０又は３２の再生停止のスイッチ情報により、ＣＰＵ１６は、正逆同時サーチモードから離脱し、サムネイルを停止させる。そして、目的シーンのＧＯＰアドレスをアクセスし、目的のシーンを探し出し、そのシーンを表示させる。
【００７２】
以上説明したように、所定の倍速読み出し制御により、所定の速度で正方向及び逆方向データを同時に、画面合成してモニタすることで、目的のシーンを高速の探し出すことができる。
【００７３】
また、本発明の実施形態について説明したが、本発明はこれに限らず幾つかの変形が、可能である。
【００７４】
例えば、逆方向高速サーチの際、現在モード表示のＧＯＰアドレスから逆方向にデータを読み出して時間反転映像を出力又は表示するのではなく、現在モード表示のＧＯＰアドレスから逆方向に所定範囲にあるサーチ端を指定し当該サーチ端から現在モード表示のＧＯＰアドレスまでを順次アクセスして通常のように過去から現在値の時間順序で映像を出力又は表示してもよい。
【図面の簡単な説明】
【００７５】
【図１】本発明の再生装置のブロック図である。
【図２】（ａ）は、記録媒体２から、正方向データｆ１と逆方向データｒ１及び正方向データｆ２及び逆方向データ２の２組のデータを高速に読み出したことを示す図である。（ｂ）は、正方向に取得したＭＰＥＧデータである正方向データｆを示す図である。（ｃ）は、逆方向に取得したＭＰＥＧデータである逆方向データｒを示す図である。（ｄ）は、正方向と逆方向の倍速サーチのＩピクチャを時系列に表した図である。
【図３】本発明の再生装置の一例を示す概観図である。
【図４】図３に示した再生装置の動作を説明するためのフローチャートである。
【符号の説明】
【００７６】
１  再生装置
２  記録媒体
６  サーボ／ＲＦ／デコーダ
７  ＭＰＥＧデコーダ
８  ビデオ信号処理部
９  ＮＴＳＣ／ＰＡＬエンコーダ
１０  デジタルＩ／Ｆ
１１  表示手段
１２  所定の記憶手段
１３  第１の記憶手段
１４  第２の記憶手段
１５  情報量低減手段
１６  ＣＰＵ
１７  操作部
１８  指示入力手段
２０  再生装置本体
２１  表示手段
２２  現在表示モードの静止画
２３  記録媒体の挿入／排出口
２４  停止ボタン
２５  逆送りボタン
２６  再生ボタン
２７  早送りボタン
２８  正逆同時サーチモードボタン
２９  正方向の倍速映像（動画）
３０  正方向の倍速映像（動画）であることを示すシンボル
３１  逆方向の倍速映像
３２  逆方向の倍速映像であることを示すシンボル
【図１】
2006121399.tif 000003
【図２】
2006121399.tif 000004
【図３】
2006121399.tif 000005
【図４】
2006121399.tif 000006